(57)【要約】【課題】授乳時に授乳者の乳房を露出することなく安全・容易に授乳ができるだけでなく、左右両側の乳房を同時に露出することで、授乳に供する乳房を容易に交換できる授乳服を提供すること。【解決手段】この授乳服は、胴回りを覆う筒状であり、前面上端に、授乳者の左右乳房基底部下半分に至るＵ字状の開口部があり、その開口部周囲を伸縮性部材で囲んだ本体部と、本体部の最上端から開口部の下端まで、授乳者が着用した状態で授乳者の胸部を覆う大きさを有し、授乳者左乳房の基底部最左端の左横から開口部に沿って本体部上端までと、授乳者右乳房の基底部最右端の右横から開口部に沿って本体部上端までとの2カ所で本体部に縫合されるカバー部と、カバー部の前面上端部と本体部の背面上端部との間に、掛け渡すように連結されている左右の肩紐を備えることで、授乳時に左右乳房を開口部から容易に露出でき、非授乳時には開口部から乳房が露出せず生活ができる。【選択図】図８
2018193650.tif 000002
【特許請求の範囲】
【請求項１】
授乳者が着る上着であり、その前面上部に、授乳者の左右両乳房を同時に露出するに十分な大きさの開口部があり、その開口部の周囲を伸縮性の部材で囲んだ本体部と、授乳者が前記本体部を着用した状態で前記開口部を覆う十分な大きさを有し、授乳者左乳房の基底部最左端の左横上部、および、右乳房の基底部最右端の右横上部で前記本体部と縫合される伸縮性のあるカバー部と、を備える授乳服
【請求項２】
前記カバー部は、カバー素材を折り重ねる等することでカバー部に厚さを持たせる、あるいは、カバー部の裏側に乳パッドなどの厚みのある部材を装着させるなどにより、授乳者の胸部形状を覆い隠すことを特徴とする請求項１に記載の授乳服。
【請求項３】
前記カバー部は、前記本体部との縫合部をフック、ファスナー、ボタン、面ファスナーなどの着脱可能な固定方法とすることで、前記カバー部を、予備のカバー部に交換できることを特徴とする、請求項１、または、請求項２に記載の授乳服。
【発明の詳細な説明】
【技術分野】
【０００１】
本発明は、衣服として着用した状態で乳児に授乳できる授乳服に関するものである。
【背景技術】
【０００２】
女性が乳児に母乳を与える際は、着用している衣服をはだけて乳房を露出させる必要がある。この行為を他人の前で行うことは女性にとって大きな抵抗があり、母乳育児中の女性が外出をためらう一因となっている。
【０００３】
そこで、露出部分が最小限で済み、母体に快適で、乳児に迅速に応えられる授乳服が実用化されている。また、授乳服に関連する発明も種々提案されている。
【０００４】
例えば、特許文献１（実用新案登録第３０９７９６８号公報）では、左右の乳房部に相当する部分にそれぞれ縦型の開口部を設けた授乳服が開示されている。このタイプの授乳服は、それぞれの開口部から乳房を露出して授乳する。
【０００５】
特許文献２（特開2010-159525）では、前身頃中央に、縦型の開口部を設けた授乳服は、中央の開口部を左右それぞれの乳房側に広げ、乳房を露出して授乳する。
【先行技術文献】
【特許文献】
【０００６】
【特許文献１】登録実用新案第３１１０８１１号公報
【特許文献２】特開２００６−６３４７１号公報
【発明の概要】
【発明が解決しようとする課題】
【０００７】
しかしながら、従来の授乳服は、左右のそれぞれの乳房を、開口部から露出して授乳する構造となっており、左右の乳房を交換して授乳する場合、乳房を一旦開口部から内部に収容し、改めて、反対側の乳房を露出し直して授乳する必要があるため、迅速に授乳に供する乳房を切り替えることができないという欠点があった。
【０００８】
また、従来の授乳服では、開口部と乳房の摩擦を避けるため、ブラジャー等の下着を着用せざるを得ず、開口部から乳房を露出する際、下着から乳房を露出する手間がかかるという欠点があった。
【０００９】
また、授乳時には、授乳者である乳幼児の嘔吐物や、授乳者の母乳により衣服が汚れることがあるが、外出先では容易に汚れた衣服を交換することはできないという欠点があった。
【００１０】
本発明は、このような従来の授乳服が有している問題を解決するものであり、授乳に供する左右乳房を簡単に露出でき、授乳中に容易に授乳に供する乳房を切り替えることを可能とする授乳服を実現することを目的とするものである。
【課題を解決するための手段】
【００１１】
そして、本発明は、上記目的を達成するために、授乳者が着る上着の前面上部に、授乳者の左右両乳房を同時に露出するに十分な大きさの開口部があり、その開口部の周囲を伸縮性の部材で囲んだ本体部と、授乳者が前記本体部を着用した状態で前記開口部を覆う十分な大きさを有し、授乳者左乳房の基底部最左端の左横上部、および、右乳房の基底部最右端の右横上部で前記本体部と縫合される伸縮性のあるカバー部で構成することを最も主要な特徴とする。
【００１２】
また、第２の課題解決手段は、カバー部の構造をそれ自体で厚みを持たせるか、カバー部の裏面に厚みのあるパッドを装着するなどして、カバー部に厚みを持たせた。
【００１３】
また、第３の課題解決手段は、カバー部と上着本体にフック、ファスナー、ボタン、面ファスナーなどの着脱可能な固定方法を備えることで、授乳服本体からカバー部を着脱できるようにし、複数のカバー部を交換して使用できるようにしたものである。
【００１４】
上記第１の課題解決手段による作用は次のとおりである。すなわち、授乳者の左右両側の乳房を露出する大きさの開口部を設け、両乳房を隠すだけの大きさのカバー部を設けることで、授乳時にはカバー部を上げ、左右両乳房を同時に露出でき、容易に授乳できるとともに、カバー部が授乳中の乳房を覆うため、不用意な乳房の露出を避けることができる。そして、非授乳時には、伸縮性のあるカバー部が乳房上半分を押え、カバー部全体としては開口部全体を覆うことで、授乳者の胸部の露出を避けることができる。
【００１５】
上記第２の課題解決手段による作用は次のとおりである。すなわち、前記カバー部そのものに厚さを持たせる、あるいは、カバー部の裏側に乳パッドなどの厚みのある部材を装着させるなどにより、授乳者の乳房の形状が外観から確認できないようにし、授乳ブラジャーなどの下着の着用を不要とし、授乳時の乳房の露出が更に容易にできる。
【００１６】
上記第３の課題解決手段による作用は次のとおりである。すなわち、前記カバー部を授乳服本体から着脱可能とし、予備のカバー部と交換できるようにし、母乳、授乳者の嘔吐などで汚れ安いカバー部を簡単に交換でき、外出時も不用意にカバー部が汚れる不安なく授乳ができる。
【発明の効果】
【００１７】
上述したように本発明の授乳服は、 本発明の請求項１記載の授乳服は、授乳時において、容易に左右乳房全体を同時に露出ができるため、授乳する際に、左右の乳房の状態により 素早く授乳に適した側の乳房を選択できる
【００１８】
本発明の請求項２記載の授乳服は、請求項１記載の授乳時において、容易に左右乳房全体を同時に露出ができるため、授乳する際に、左右の乳房の状態により 素早く授乳に適した側の乳房を選択できる利点に加えて、前記カバー部に厚みを持たせることで、授乳服を通して授乳者の乳房が確認できないようにするため着用する授乳ブラジャーなどの下着の着用を不要とし、容易に授乳が開始できるという利点がある。
【００１９】
本発明の請求項３記載の授乳服は、請求項１、請求項２記載の授乳時において、容易に左右乳房全体を同時に露出ができるため、授乳する際に、左右の乳房の状態により 素早く授乳に適した側の乳房を選択できる利点に加えて、前記カバー部を本体部と交換できるにすることで、不用意にカバー部が汚れた場合でも交換でき、外出時の不安が低減できる利点に加え、デザインの異なるカバー部を交換し、ファッション的な満足をもたらす利点がある。
【図面の簡単な説明】
【００２０】
【図１】本発明の実施の請求項１に係る授乳服の概略正面図と概略背面図である。
【図２】図１の授乳服を着用し、授乳しないときの状態を説明するための正面図である。
【図３】本発明の実施の請求項１の図２とは異なる、授乳服の実施形態の正面図である。
【図４】図１の授乳服を着用し、カバー部を開けた状態を説明するための正面図である。
【図５】本発明の実施の請求項１の図２とは異なる構成例を説明した図である。
【図６】本発明の実施の請求項１の授乳服を着用し、授乳中の状態を説明するための正面図である。
【図７】本発明の実施の請求項２に係る授乳服のカバー部の概略正面図と概略背面図である。
【図８】図２の授乳服を着用し、授乳しないときの状態を説明するための正面図と概略背面図である。
【図９】本発明の実施の請求項２に係る授乳服のカバー部の構成方法の一例である。
【図１０】本発明の実施の請求項３に係る授乳服の概略正面図と予備カバー部である。
【発明を実施するための形態】
【００２１】
以下、本発明の実施の形態に係る授乳服１００を、図面に基づき詳しく説明する。
以下の図面の記載において、同一または類似の部分には同一または類似の符号を付している。
なお、本発明の実施の形態において「乳児」は、授乳対象となる人である。また、「授乳者」は、乳児に授乳する人であって、本発明の実施の形態に係る授乳服１００の着用者である。
図１(a)に、請求項１の実施形態に係る授乳服１００の概略正面図を、図１(b)に、その背面図を、それぞれ示す。
なお、この授乳服１００を構成する、本体部１、肩紐２には、正面側（腹側）を示すＦ（Ｆｒｏｎｔ）および背面側（背中側）を示すＢ（Ｂａｃｋ）を添えている。
【００２２】
この授乳服１００は、通常の筒状の上着と同様の構造である。
特徴的であるのは、（１）本体部１が、前面上部に、授乳者の左右両乳房を同時に露出するに十分な大きさのＵ字型の開口部３を設けている点、（２）その開口部３の周囲４は 伸縮性の部材で囲まれている点、（３）カバー部５は、開口部３の上端から、開口部３の下端までの範囲で、授乳者が着用した状態で授乳者の胸部を覆う十分な大きさを有している点、（４）本体部１とカバー部５とは、授乳者右乳房の基底部最右端の右横から開口部に沿って本体部上端までの縫合部６aと、授乳者左乳房の基底部最左端の左横から開口部に沿って本体部上端までの縫合部６ｂで縫い込まれる点、（５）カバー部５は、授乳者が着用した状態で授乳者の乳房の形状に合わせて伸縮する部材である点、（６）本体部１が使用者の胴体からずり落ちないように左右１対の肩紐２a、２bを備えている点、である。
【００２３】
本体部１を形成する素材は、特に限定されるものではなく、通常の上衣に使用される材料でよい。
【００２４】
本体部１は、たとえば、筒状に編成された編地を用いて製造してもよいし、前後２枚の布を組み合わせた筒状の構造でも良い。
【００２５】
請求項１の実施形態に係る授乳服１００を授乳者が着用した正面図を図２に示す。
【００２６】
図２に示すように、授乳者がこの授乳服１００を着用した場合において、授乳服１００の本体部１の上端が授乳者の胸部を覆う高さに調整できるような肩紐２ａ、２ｂを備えている。
【００２７】
なお、肩紐２ａ、２ｂは、この腹巻１０の本体部１の上端が授乳者の胸部を覆う高さに調整できればよく、一つの方法に限定されるものではない。構成例としては、図２の肩紐２ａ（Ｂ）、２ｂ（Ｂ）の長さを調整するか、図３のように、肩紐なしで、本体１を伸縮性の素材として、本体１の伸縮性を利用し、胸部の高さに調整する方法等が考えられる。
【００２８】
図２に示した通り、授乳者がこの授乳服１００を着用した場合において、 カバー部５は、授乳者右乳房の基底部最右端の右横から本体部１の上端までの開口部３に沿った縫合部６ａと、授乳者左乳房の基底部最左端の左横から本体部１の上端までの開口部に沿った縫合部６ｂで縫い込むため、カバー部５は、授乳者の乳房上半分を適度な強さで抑えるため、カバー部５が開いて乳房全体が露出する恐れはない。
【００２９】
この授乳服１００を授乳者が着用し，カバー部５を捲り上げた正面図を図４に示す。図４(a)に示した通り、授乳者がこの授乳服１００を着用した場合において、授乳者の乳房を伸縮性の部材で構成される開口部周囲４で囲んでいるため、授乳者の左右乳房基底部の下半分に沿って密着する。
【００３０】
また、図４(b)に示した通り、カバー部５は伸縮性を有するため、授乳時には授乳に供する乳房を開口部３とカバー部５の間から露出し、授乳に供することができる。一方、授乳に供しない乳房は、カバー部の伸縮性により、露出することがない。
【００３１】
上記実施例は、筒状で肩部が無い上着で説明したが、肩部のある上着であっても良い。肩部がある上着の構造の授乳服１００を授乳者が着用した正面図を図５に示す。
この場合は、開口部３は、図５に示す通り、楕円半分の形状となり、カバー部５は、授乳者右乳房の基底部最右端の右横の縫合部６ａと、開口部上半分の縫合部６ｃと、授乳者左乳房の基底部最左端の左横の縫合部６ｂで縫い込まれる。
【００３２】
以上のような構成を備える請求項１の授乳服１０の使用方法について説明する。本発明の第１の実施形態に係る授乳服１００の一例を着用した授乳者が、授乳している状態を図６に示す。図６に示すように、授乳者は、授乳時には、カバー部５の下に乳児の頭をもぐりこませ、授乳に供する乳房を乳児に哺乳させる。カバー部５は、十分な長さと伸縮性を有し、乳児の顔、および、授乳に使用しない方の乳房を覆うため、授乳部分、および、授乳に使用しない乳房は、授乳時に外部に露出しない。
授乳者の乳房は、左右両方とも授乳服１００から露出しているため、授乳に供する左右の乳房を交換する場合も、乳房を授乳服に収める必要なく、即座に交換できる。
【００３３】
図7(a)に、請求項２の実施形態に係る授乳服１００の概略正面図を、図7(b)に、その背面図を、それぞれ示す。
なお、この授乳服１００を構成する、本体部１、肩紐２には、正面側（腹側）を示すＦ（Ｆｒｏｎｔ）および背面側（背中側）を示すＢ（Ｂａｃｋ）を添えている。
【００３４】
本発明の第２の実施形態は、第１の実施形態のカバー部５の厚みが異なるのみで、他の構成は第１の実施形態と同じである。
特徴的であるのは、（１）本体部１が、前面上部に、授乳者の左右両乳房を同時に露出するに十分な大きさのＵ字型の開口部３を設けている点、（２）その開口部３の開口部周囲４は 伸縮性の部材で囲まれている点、（３）カバー部５は、開口部３の上端から、開口部３の下端までの範囲で、授乳者が着用した状態で授乳者の胸部を覆う十分な大きさを有している点、（４）本体部１とカバー部５とは、授乳者右乳房の基底部最右端の右横から開口部に沿って本体部上端までの縫合部６aと、授乳者左乳房の基底部最左端の左横から開口部に沿って本体部上端までの縫合部６ｂで縫い込まれる点、（５）カバー部５は、授乳者が着用した状態で授乳者の乳房の形状に合わせて伸縮する部材である点、（６）本体部１が使用者の胴体からずり落ちないように左右１対の肩紐２a、２bを備えている点に加えて、（７）カバー部５は、そのものに厚さを持たせる、あるいは、カバー部の裏側に乳パッドなどの厚みのある部材を装着させた点である。
【００３５】
請求項２の実施形態に係る授乳服１００を授乳者が着用した正面図を図８に示す。
【００３６】
カバー部の厚み以外は、請求項１の構成・使用方法と同じため、ここでは、請求項１と異なる点を記載する。
【００３７】
図９は、本発明の第２の実施形態に係るカバー部５である。図９に示した通り、フリル等のそれ自身で厚さを持たせた布５a、５b、５cを更に、この順で複数段、位置をずらせて重ねることにより、カバー部５に必要な広さと厚みを持たせる。
厚みの持たせ方は、これ以外の方法として、カバー部５に乳房パッドを入れるポケットを設ける方法などが考えられ、厚みの持たせ方は、問わない。
【００３８】
図１０(a)に、請求項３の実施形態に係る授乳服１００のカバー部を取り外したときの概略正面図を、図１０(b)に、予備カバー部７を、それぞれ示す。図１０は、請求項２の本体１を使用した図であるが、請求項１の本体１に対しても、同様の図となる。
【００３９】
本発明の第３の実施形態は、授乳服本体部１とカバー部５の結合方法が異なるのみで、他の構成は第１の実施形態、第２の実施形態と同じである。
特徴的であるのは、（１）本体部１が、前面上部に、授乳者の左右両乳房を同時に露出するに十分な大きさのＵ字型の開口部３を設けている点、（２）その開口部３の周囲４は 伸縮性の部材で囲まれている点、（３）予備カバー部７は、開口部３の上端から、開口部３の下端までの範囲で、授乳者が着用した状態で授乳者の胸部を覆う十分な大きさを有している点、（４）予備カバー部７は、授乳者が着用した状態で授乳者の乳房の形状に合わせて伸縮する部材である点、（６）本体部１が使用者の胴体からずり落ちないように左右１対の肩紐２a、２bを備えている点に加えて、（７）本体部１と予備カバー部７とは、授乳者左乳房の基底部最左端の左横から開口部に沿って本体部上端までの結合部８aと、授乳者右乳房の基底部最右端の右横から開口部に沿って本体部上端までの結合部８ｂにおいて、フック、ファスナー、ボタン、面ファスナーなどの着脱可能な固定方法で結合し、授乳服本体１から予備カバー部７を着脱できるようにし、複数のカバー部で交換して使用できるようにしたもの点である。
【００４０】
複数のカバー部を交換して使用する構成以外の構成及び使用方法は、請求項１、または、請求項２と同じため、ここでは、請求項１、または、請求項２と異なる点を記載する。
【００４１】
着脱可能な予備カバー部７は、本体部との結合部８a、8bに、フック、ファスナー、ボタン、面ファスナーなどの着脱可能な固定方法を装着する。一方、本体部にも、カバー部５と接合する部分の結合部8c、8dにカバー部の着脱固定方法により決定する対の固定方法を装着する。たとえば、着脱固定方法がフックの場合、8aがフックオスの場合、8cは、フックメスを装着する。
【００４２】
着脱可能なカバー部５は、同一のサイズ、同一のデザインに限定されず、複数のサイズ、複数のデザインを可能とすることで、単なる予備だけでなく、授乳者の乳房のサイズの変化、使用条件にも対応できる。
【００４３】
以上のような構成を備える請求項３の授乳服１０の使用方法について説明する。授乳の方法は、請求項１と同様であり、異なるのは、着脱可能なカバー部の交換方法だけである。
カバー部５の8aと本体部8c、カバー部５の8bと本体部8dをそれぞれ固定することで、着脱可能かカバー部５を固定することで、請求項１、または、請求項２と同じ機能を有する授乳服となる。一方、着脱可能なカバー部５aを、本体部から着脱し、同じ着脱方法を有する別のカバー部５ｂと交換することができる。着脱の方法は、本発明の本質ではなく、それぞれの着脱方法の一般的な使用法に従う。
【産業上の利用可能性】
【００４４】
本発明は、授乳服等に利用可能であり、特に、快適な授乳を実現しつつ、助産師等による授乳介助時等に有用である。
【符号の説明】
【００４５】
１００  授乳服
１  本体部
２  肩紐
３  開口部
４  開口部周囲
５  カバー部
６  縫合部
７  予備カバー部
８  結合部
【図１】
2018193650.tif 000003
【図２】
2018193650.tif 000004
【図３】
2018193650.tif 000005
【図４】
2018193650.tif 000006
【図５】
2018193650.tif 000007
【図６】
2018193650.tif 000008
【図７】
2018193650.tif 000009
【図８】
2018193650.tif 000010
【図９】
2018193650.tif 000011
【図１０】
2018193650.tif 000012